(57)【要約】  多層光情報記録媒体における，記録層数の増大に伴う媒体制御情報の種類数の増加およびＯＰＣ所要時間の増大を抑制することを目的とし、２層以上の記録層を持つ多層光情報記録媒体において，前記記録層は前記記録層の数より少ない数の層グループに分類され，前記分類された層グループ毎に層グループ内で共通の媒体制御情報が与えられ，前記層グループ毎に与えられた媒体制御情報が管理領域に予め記載されたことを特徴とする多層光情報記録媒体とした。
2012140824.tif 000002
【特許請求の範囲】
【請求項１】
３層以上の記録層と，
前記記録層は前記記録層の数より少ない数の層グループに分類され，前記分類された層グループ毎に層グループ内で共通の媒体制御情報が与えられ，前記層グループ毎に与えられた媒体制御情報が記録された管理領域と
を有することを特徴とする多層光情報記録媒体。
【請求項２】
請求項１記載の多層光情報記録媒体において，
前記媒体制御情報には、前記層グループに属する前記記録層の各々に対する最大再生パワーを特定するためのパラメータが含まれており、前記パラメータは前記層グループ毎に異なることを特徴とする多層光情報記録媒体。
【請求項３】
請求項２記載の多層光情報記録媒体において，
前記記録層の各々には，前記多層光情報記録媒体の光入射面から見て奥から順に，または手前から順に連続した整数の層番号が付けられ，
前記記録層の各々に対する前記最大再生パワーは前記層番号の多項式関数で与えられ，
前記記録層の各々に対する最大再生パワーを特定するためのパラメータは，前記層番号の多項式関数の各係数を示したパラメータであることを特徴とする多層光情報記録媒体。
【請求項４】
請求項３記載の多層光情報記録媒体において，
前記層番号の多項式関数は前記層番号の１次関数であることを特徴とする多層光情報記録媒体。
【請求項５】
請求項１記載の多層光情報記録媒体において，
前記媒体制御情報には、前記記録層の各々に対してＯＰＣを実施するためのパラメータが含まれており、前記パラメータは前記層グループ毎に異なることを特徴とする多層光情報記録媒体。
【請求項６】
請求項５記載の多層光情報記録媒体において，
前記ＯＰＣを実施するためのパラメータには，少なくともκ方式のＯＰＣを実施するための指定記録パワーが含まれ，
前記記録層の各々には，前記多層光情報記録媒体の光入射面から見て奥から順に，または手前から順に連続した整数の層番号が付けられ，
前記記録層の各々に対する前記指定記録パワーは前記層番号の多項式関数で与えられ，
前記記録層の各々に対する指定記録パワーを特定するためのパラメータは，前記層番号の多項式関数の各係数を示したパラメータであることを特徴とする多層光情報記録媒体。
【請求項７】
請求項６記載の多層光情報記録媒体において，
前記層番号の多項式関数は前記層番号の１次関数であることを特徴とする多層光情報記録媒体。
【請求項８】
請求項１記載の多層光情報記録媒体において，
前記媒体制御情報には、記録パルスのタイミングを示したパラメータが含まれており、前記パラメータは前記層グループ毎に異なることを特徴とする多層光情報記録媒体。
【請求項９】
請求項１記載の多層光情報記録媒体において，
前記媒体制御情報には、前記記録層の各々が属する層グループを特定するためのパラメータが含まれていることを特徴とする多層光情報記録媒体。
【請求項１０】
請求項４，請求項７、請求項８何れかに記載の多層光情報記録媒体において，
同一の層グループに属する全ての記録層は、実質的に同一の膜構成により形成されていることを特徴とする多層光情報記録媒体。
【請求項１１】
３層以上の記録層を有し，前記記録層は前記記録層の数より少ない数の層グループに分類され，前記分類された層グループ毎に層グループ内で共通の、前記記録層の各々に対する最大再生パワーを特定するためのパラメータを含む媒体制御情報を記録した多層光情報記録媒体から、再生対象層が属する前記層グループに対応した前記媒体制御情報を読み出す工程と，
前記読み出した媒体制御情報から前記再生対象層に対する最大再生パワーを特定するためのパラメータを抽出する工程と，
前記抽出したパラメータを用いて前記再生対象層に対する最大再生パワーを特定する工程と，
前記特定した最大再生パワーを超えない大きさの再生パワーで前記再生対象層の情報を再生する工程と，
を備えたことを特徴とする情報再生方法。
【請求項１２】
請求項１１記載の情報再生方法において，
前記記録層の各々には，前記多層光情報記録媒体の光入射面から見て奥から順に，または手前から順に連続した整数の層番号が付けられ，前記記録層の各々に対する前記最大再生パワーは前記層番号の多項式関数で与えられ，前記記録層の各々に対する最大再生パワーを特定するためのパラメータは，前記層番号の多項式関数の各係数を示したパラメータであって，
前記パラメータを抽出する工程は，前記読み出した媒体制御情報から前記再生対象層に対する前記層番号の多項式関数の各係数を示したパラメータを抽出する工程であって，
前記最大再生パワーを特定する工程は，前記抽出したパラメータを用いて前記層番号の多項式関数を特定し，前記層番号の多項式関数に前記再生対象層の層番号を代入することにより前記再生対象層に対する最大再生パワーを算出する工程であることを特徴とする情報再生方法。
【請求項１３】
３層以上の記録層を有し，前記記録層は前記記録層の数より少ない数の層グループに分類され，前記分類された層グループ毎に層グループ内で共通の、前記記録層の各々に対してＯＰＣを実施するためのパラメータを含む媒体制御情報を記録した多層光情報記録媒体から、記録対象層が属する前記層グループに対応した前記媒体制御情報を読み出す工程と，
前記読み出した媒体制御情報から前記記録対象層に対してＯＰＣを実施するためのパラメータを抽出する工程と，
前記抽出したパラメータを用いて前記記録対象層において前記ＯＰＣを行い前記記録対象層に対する記録パワーを決定する工程と，
前記決定した記録パワーを用いて前記記録対象層に情報を記録する工程と，を備えたことを特徴とする情報記録方法。
【請求項１４】
請求項１３記載の情報記録方法において，
前記ＯＰＣを実施するためのパラメータには，少なくともκ方式のＯＰＣを実施するための指定記録パワーが含まれ，前記記録層の各々には，前記多層光情報記録媒体の光入射面から見て奥から順に，または手前から順に連続した整数の層番号が付けられ，前記記録層の各々に対する前記指定記録パワーは前記層番号の多項式関数で与えられ，前記記録層の各々に対する指定記録パワーを特定するためのパラメータは，前記層番号の多項式関数の各係数を示したパラメータであって，
前記パラメータを抽出する工程は，前記多項式関数の各係数を示したパラメータを抽出する工程であって，
前記記録パワーを決定する工程は，前記抽出したパラメータから前記多項式関数を特定し，前記特定した多項式関数に前記記録対象層の層番号を代入することにより前記記録対象層に対する指定記録パワーを算出し，前記算出した指定記録パワーを用いて前記記録対象層においてκ方式のＯＰＣを実施し，前記記録対象層に対する記録パワーを決定する工程であることを特徴とする情報記録方法。
【請求項１５】
請求項１４記載の情報記録方法において，
前記層番号の関数は，層番号の１次関数であって，
同一の層グループに属する記録層のうち少なくとも２層の記録層でそれぞれＯＰＣを実施し，それぞれの記録層に対する記録パワーを決定する工程と，
前記ＯＰＣを実施した記録層の層番号と決定された記録パワーとの関係に対応した回帰１次関数を算出する工程と，
前記算出した回帰１次関数に，前記ＯＰＣを実施した記録層と同一の層グループに属する他の記録層の層番号を代入することにより，前記他の記録層に対する記録パワーを決定する工程と，
を有することを特徴とする情報記録方法。
【請求項１６】
請求項１３記載の情報記録方法において，
前記ＯＰＣを実施するためのパラメータには，少なくともκ方式のＯＰＣを実施するための指定記録パワーを示したパラメータが含まれ，
前記記録層のうちいずれか１層を第１の記録層とし，前記第１の記録層と同一の層グループに属する他のいずれかの記録層を第２の記録層として，
前記指定記録パワーを示したパラメータを用いて前記第１の記録層と前記２の記録層に対する指定記録パワーをそれぞれ特定する工程と，
前記第１の記録層においてＯＰＣを実施して，前記第１の記録層に対する記録パワーを決定する工程と，
前記第２の記録層に対する指定記録パワーと，前記第１の記録層に対する指定記録パワーとの比を算出する工程と，
前記決定した第１の記録層に対する記録パワーに前記算出した比を乗算することにより前記第２の記録層に対する記録パワーを決定する工程と，
を有することを特徴とする情報記録方法。
【発明の詳細な説明】
【技術分野】
【０００１】
本発明は光情報記録媒体及び情報記録再生方法に関し，特に多層光情報記録媒体に記載される媒体制御情報及びそれを用いた記録再生制御技術に関する。
【背景技術】
【０００２】
ＤＶＤ（Digital Versatile Disc）やＢＤ（Blu-ray Disc）などの光ディスクに代表される光情報記録媒体は，その媒体中に情報を記録するための記録層を有し，情報の記録は，記録層上に光を照射して光の反射率を変化させることにより行われる。また，記録された情報の再生は，記録層上に光を照射して，情報の記録により生じた反射率の変化を検出することによって行われる。【０００３】
光ディスクにおいて，１つの媒体中に複数の記録層を設けることで情報記録容量を増大させる，いわゆる多層化の技術が開発されている。例えばＢＤ−ＲＥおよびＢＤ−Ｒ規格では１層および２層の記録層を持つ媒体が規定されている。また，最近ではＢＤのフォーマットをベースとした３層または４層の記録層を持つ光ディスクの規格も策定された。このように記録層数を増加させる試みは現在も続けられている。また，トラッキングサーボ用の案内溝を持たないグルーブレス構造を持つ複数の記録層と，記録層とは独立したトラッキング専用のガイド層とを有する多層光ディスク媒体の技術も提案されている。【０００４】
一般に，光ディスク媒体にはその媒体に対して情報の記録や再生を行うための媒体制御情報が予め記載されている。そのような情報としては，例えばＤＶＤ−ＲＡＭ，ＤＶＤ−ＲＷ，ＤＶＤ＋ＲＷ，ＤＶＤ−ＲおよびＤＶＤ＋Ｒにおける物理フォーマット情報（ＰＦＩ）がある。また特許文献１に記載されている光ディスクの場合，ディスクインフォメーション（ＤＩ）が媒体制御情報に相当する。【０００５】
次に，従来の光ディスクにおける媒体制御情報について，特許文献１のＤＩを例にして説明する。図１は，従来の光ディスク媒体のデータ構造を模式的に示した図である。光ディスク媒体には，ディスク内周から順にリードイン領域１０１，データ領域１０２およびリードアウト領域１０３が配置され，媒体制御情報１０４はリードイン領域１０１の中に記載されている。媒体制御情報１０４には，記録層と記録速度と記録パルス種別の組み合わせに応じてＮ種類に分類された媒体制御情報ユニット０，１，２，・・・，Ｎ−１が順に記載されている。このように条件に応じて分類して与えられた媒体制御情報の１セットを本明細書では媒体制御情報ユニットと呼ぶことにする。なお，２つの記録層を持つ２層ディスクの場合，それぞれの記録層に同一の内容の２層分の媒体制御情報が記載され，いずれの記録層からも２層分の媒体制御情報を取得できるようになっている。【０００６】
次に，従来の光ディスクにおける媒体制御情報ユニットの構造について説明する。図２は，特許文献１に記載されている光ディスクにおける媒体制御情報ユニットの構造を示した図である。１つの媒体制御情報ユニットは，ヘッダ情報２０１，記録再生制御情報２０２およびフッタ情報２０３の合計１１２バイトのデータにより構成される。ヘッダ情報２０１には，媒体制御情報ユニットの数，記録時に用いる記録パルス種別，あるいはその媒体制御情報ユニットが適用される記録層の情報などが含まれる。記録再生制御情報２０２の内容は，媒体情報２０４，再生パワー設定情報２０５，記録パワー設定情報２０６および記録パルス設定情報２０７に分けられ，それぞれの項目に関するパラメータが記載される。例えば，再生パワー設定情報２０５に関するものとして，情報を再生する際に媒体に照射するパワーの上限値を指定した最大再生パワー情報がある。また，記録パワー設定情報２０６に関するものとして，後述するＯＰＣ（Optimum Power Control）を実施するためのパラメータがある。また，記録パルス設定情報２０７に関するものとして，記録パルスを構成する各パルスのタイミングを指定したパラメータがある。【０００７】
次に，光ディスクにおけるＯＰＣについて説明する。ＯＰＣとは，記録媒体，記録層，記録再生装置，周囲温度等の条件の違いに応じた最適な記録パワーを求める一連の手順のことである。具体的には，媒体上の所定の領域において，記録パワーを段階的に変化させながら試し書きを行い，記録パワーと再生信号から得られる評価値との関係から最適な記録パワーを導出するというものである。【０００８】
試し書きを用いた記録パワーの調整方法として，例えばＢＤ−ＲＥおよびＢＤ−Ｒ規格では記録パワーと変調度の関係を用いたκ方式のＯＰＣが推奨されている。この方法では，記録パワーＰＷと変調度ｍの関係と，予め決められたパラメータである指定記録パワーＰＩＮＤ，係数目標値κ，係数ρ等を用いて最適記録パワーＰＷＯの算出を行う。これらのパラメータは，上述の媒体制御情報における記録パワー設定情報として予め媒体に記録されている。まず，指定記録パワーＰＩＮＤ付近の複数種類の記録パワーＰＷを用いて光ディスクの所定の領域に所定の信号を記録し，記録した信号を再生することで，再生信号の振幅を上部包括レベルで割った値である変調度ｍを記録パワーＰＷと対応付けて取得する。次いで，ＰＩＮＤを中心とする所定のパワー範囲に対して評価値ｍ×ＰＷと記録パワＰＷの関係を直線近似し，評価値ｍ×ＰＷがゼロとなる場合の記録パワーＰＷの値を記録パワー閾値Ｐｔｈｒとして算出する。算出したＰｔｈｒに係数目標値κを乗算した目標記録パワーＰｔａｒｇｅｔ＝κ×Ｐｔｈｒと記録パワーＰＷの関係において，Ｐｔａｒｇｅｔ＝ＰＷを満たす記録パワーＰＷを最適目標記録パワーＰｔａｒｇｅｔｏとして決定し，最適目標記録パワーＰｔａｒｇｅｔｏに係数ρを乗算した値を最適記録パワーＰＷＯとして決定する。【０００９】
また，ＢＤ−Ｒの規格において推奨されるもう一つのＯＰＣの形態としてβ方式がある。この方法では，ＡＣカップルされた再生信号の上部包括レベルをＡ１，下部包括レベルをＡ２としたとき，β＝（Ａ１＋Ａ２）／（Ａ１−Ａ２）なるアシンメトリβが予め決められた値に一致する記録パワーを最適記録パワーとして決定する。
【先行技術文献】
【特許文献】
【００１０】
【特許文献１】特開２００６−３１３６２１号公報
【発明の概要】
【発明が解決しようとする課題】
【００１１】
従来の多層光情報記録媒体では，記録層数の増加に伴って生じる以下のような課題があった。【００１２】
第１の課題は，媒体制御情報ユニットの種類の増加による媒体制御情報のデータ総量の増大である。特許文献１に記載された従来の光ディスクでは，媒体制御情報ユニットは記録層，記録速度および記録パルス種別の組み合わせ毎に与えられるため，記録層数が増加すると媒体制御情報ユニットの種類の数が記録層数に比例して増加し，媒体制御情報のデータ総量が増大してしまう。前述のように，特許文献１に記載された光ディスクでは，媒体上の所定の領域に同一の媒体制御情報ユニットが複数回繰り返して記載されている。これは傷や指紋などの光ディスクの劣化要因に対して耐性を向上させるためと考えられるが，媒体制御情報ユニットの種類が増加すると繰り返し回数が減少するため，媒体制御情報データの信頼性が低下してしまう。更に，媒体制御情報ユニットの種類が増加すると，その分パラメータの数が増大するため，媒体製造元においてそれらの値を決定するための負担が増加してしまう。【００１３】
第２の課題は，ＯＰＣ所要時間の増大である。一般に，ＯＰＣを実施するためのパラメータは記録層毎に異なる。そのため，例えば特許文献１に記載された従来の光ディスクでは媒体制御情報ユニットは記録層毎に与えられており，結果，ＯＰＣを実施するためのパラメータも記録層毎に与えられている。そしていずれかの記録層に対する記録パワーを決定するためには，その記録層においてＯＰＣを実施する必要があるため，全ての記録層に対して記録パワーを決定するためには，記録層数と同じ回数のＯＰＣを実施する必要がある。このため，記録層数が増加するとＯＰＣの所要時間が増大し，記録再生装置のセットアップ処理の所要時間が増大する。すなわち記録再生装置に媒体を挿入してから使用可能になるまでの時間，あるいは記録再生装置に記録指令が与えられてから実際に記録が開始されるまでの時間が増大し，ユーザによる使い勝手が損なわれてしまう。【００１４】
本発明の第１の目的は，上記第１の課題を解決するために，記録層数の増大に伴う媒体制御情報ユニットの種類数の増加を抑制する手段を提供することにある。【００１５】
また，本発明の第２の目的は，上記第２の課題を解決するために，記録層数の増大に伴うＯＰＣ所要時間の増大を抑制する手段を提供することにある。
【課題を解決するための手段】
【００１６】
本発明では，上記の目的を達成するために以下の手段を用いた。【００１７】
（１）３層以上の記録層を持つ多層光情報記録媒体において，前記記録層は前記記録層の数より少ない数の層グループに分類され，前記分類された層グループ毎に層グループ内で共通の媒体制御情報が与えられ，前記層グループ毎に与えられた媒体制御情報が前記多層光情報記録媒体上の所定の領域に予め記載された多層光情報記録媒体とした。【００１８】
本構成は，多層光情報記録媒体を構成する複数の記録層を幾つかのグループ（以下，層グループと呼ぶ）に分類し，従来の光ディスクにおいて記録層毎に個別に与えていた媒体制御情報ユニットを層グループ毎に与えるようにしたものである。層グループ数は記録層数より少なくなるようにしたため，媒体制御情報ユニットの種類を従来の光ディスクより少なくすることができた。媒体制御情報ユニットは少なくとも層グループ毎に与えるが，例えば図９に示したように記録速度や記録パルス種別等の条件も加えて，それらの条件の組み合わせ毎に与えてもよい。なお，層グループへの分類の仕方（層グループ数や各層グループへの記録層の割り当て）は，同一の層グループ毎に共通の媒体制御情報を用いても各々の記録層に対して適切に記録再生を行えるように決定することが必要である。本構成により，記録層数の増加に伴う媒体制御情報のデータ量の増大を抑制することができたため，本発明における第１の目的が達成された。【００１９】
（２）更に、層グループ毎に，その層グループに属する各記録層に対する最大再生パワーを特定するためのパラメータが前記媒体制御情報に含まれたものとした。【００２０】
本構成は，上記（１）の構成における媒体制御情報の内容をより具体化したものである。最大再生パワーとは，情報を再生する際に媒体に照射する光のパワーの上限のことであり，光の照射により記録済みトラックを劣化させることがないように，主に媒体の製造元によって指定されるものである。最大再生パワーは，例えば，所定の再生回数の後に振幅，ジッタ，エラー率等の再生信号品質が基準を満たすように決定される。本構成では，層グループ毎に，その層グループに属する各記録層に対する最大再生パワーを特定するためのパラメータを与えて媒体制御情報に記載した。これにより，媒体制御情報のデータ量を削減しても記録再生装置において適切な再生パワーで情報を再生することができるようになり，本発明における第１の目的を達成するにあたり，より好ましい構成となった。【００２１】
（３）更に、前記記録層の各々には，前記多層光情報記録媒体の光入射面から見て奥から順に，または手前から順に連続した整数の層番号が付けられ，前記記録層の各々に対する前記最大再生パワーは前記層番号の多項式関数で与えられ，前記記録層の各々に対する最大再生パワーを特定するためのパラメータは，前記層番号の多項式関数の各係数を示したパラメータであって、各層グループ毎に設定されるものとした。【００２２】
本構成は，上記（２）の構成における最大再生パワーを特定するためのパラメータをより具体化したものである。本構成では，光入射面から見て奥の記録層から，または手前の記録層から順に連続した整数の層番号を，例えば０，１，２，・・・というように付け，各記録層に対する最大再生パワーを層番号の多項式関数（ｍ次関数；但しｍは０以上の整数）で与えるようにした。すなわち，層番号をｎとしたとき，第ｎ記録層に対する最大再生パワーＰｒｍａｘ（ｎ）は次式の数１で与えられる。【００２３】
【数１】
2012140824.tif 000003
【００２４】
ここで，ｃｘはｎのｘ次の項の係数である。本構成はすなわち層番号と実際の最大再生パワーとの関係を多項式関数で近似し，この多項式関数を特定するための係数ｃ０，ｃ１，ｃ２，・・・，ｃｍ−１，ｃｍを示したパラメータを媒体制御情報に記載するというものである。例えば，多項式関数として２次関数を用いる場合，ｃ０，ｃ１およびｃ２を示したパラメータを媒体制御情報に記載する。係数ｃ０，ｃ１，ｃ２，・・・，ｃｍ−１，ｃｍの組は少なくとも層グループで分類された媒体制御情報ユニット毎に記載されるため，層グループが異なれば各係数の値は異なる。本構成では多項式関数を用いたことにより，層番号と最大再生パワーとが複雑な関係になっていても，次数の高い多項式関数を用いれば，多項式関数の値と実際の最大再生パワーの値との誤差を小さくすることができる。本構成の媒体を用いた場合，再生しようとする記録層（再生対象層）に対する最大再生パワーは，再生対象層が属する層グループに対応した媒体制御情報ユニットを参照し，そこに記載された各係数から多項式関数を特定し，特定された多項式関数に再生対象層の層番号を代入することで算出することができる。すなわち，層グループ毎に与えられた媒体制御情報から各記録層に対する最大再生パワーをそれぞれ求めることができる。これにより，媒体制御情報のデータ量を削減しても各記録層に対して適切な再生パワーで情報を再生することができるようになったため，本発明における第１の目的を達成するにあたり，より好ましい構成となった。【００２５】
（４）前記（３）の多層光情報記録媒体において，前記層番号の多項式関数は前記層番号の１次関数であるものとした。【００２６】
本構成は，上記（３）の構成において最大再生パワーを与える層番号の多項式関数をより具体化したものである。本構成では，各記録層に対する最大再生パワーを層番号の１次関数で与えるようにした。すなわち，層番号をｎとしたとき，第ｎ記録層に対する最大再生パワーＰｒｍａｘ（ｎ）は次式の数２で与えられる。【００２７】
【数２】
2012140824.tif 000004
【００２８】
ここで，ｃ０およびｃ１はｎの０次および１次の項の係数である。本構成はすなわち層番号と実際の最大再生パワーとの関係を１次関数で近似し，この１次関数を特定するための係数ｃ０およびｃ１を示したパラメータを媒体制御情報に記載するというものである。係数ｃ０およびｃ１の組は少なくとも層グループで分類された媒体制御情報ユニット毎に記載されるため，層グループが異なれば各係数の値は異なる。本構成では上記１次関数の各係数ｃ０およびｃ１を特定するためのパラメータを媒体制御情報の一部として媒体に記載した。多項式関数を１次関数に限定したことにより，これを特定するための情報は係数ｃ０およびｃ１のみであり必要最小限に抑えられ，媒体制御情報のデータ量を削減できた。本構成により，本発明における第１の目的を達成するにあたり，より好ましい構成となった。【００２９】
また、上記は、１次関数となる場合について説明したが、同一の層グループに属する全ての記録層に対する最大再生パワーを同じにする場合にはｃ０を示したパラメータのみを記載する。この場合は、さらにデータ量を削減できる効果がある。【００３０】
（５）更に、前記記録層の各々に対してＯＰＣを実施するためのパラメータが前記媒体制御情報に含まれるものとした。【００３１】
本構成は，上記（１）乃至（４）の構成における媒体制御情報の内容をより具体化したものである。本構成では，各記録層に対してＯＰＣを実施するためのパラメータを媒体制御情報に記載した。ＯＰＣを実施するためのパラメータは層グループ毎に与えられるため，同一の層グループに属する記録層では同一のパラメータを用いてＯＰＣが実施されることになる。また，本構成では上記ＯＰＣを実施するためのパラメータを媒体制御情報に記載するようにした。本構成により，媒体制御情報のデータ量を削減しても各記録層に対して最適な記録パワーで情報を記録することができるようになったため，本発明における第１の目的を達成するにあたり，より好ましい構成となった。【００３２】
（６）前記（５）の多層光情報記録媒体において，前記ＯＰＣを実施するためのパラメータには，少なくともκ方式のＯＰＣを実施するための指定記録パワーが含まれ，前記記録層の各々には，前記多層光情報記録媒体の光入射面から見て奥から順に，または手前から順に連続した整数の層番号が付けられ，前記記録層の各々に対する指定記録パワーは前記層番号の多項式関数で与えられ，前記記録層の各々に対する指定記録パワーを特定するためのパラメータは，前記層番号の多項式関数の各係数を示したパラメータであって、各層グループ毎に設定されるものとした。【００３３】
本構成は，上記（５）の構成におけるＯＰＣを実施するためのパラメータをより具体化したものである。ここで，指定記録パワーとは，前述のκ方式のＯＰＣにおける最適目標記録パワーの想定値であり，想定される最適記録パワーと比例関係にあるものである。本構成では，上記（５）の構成におけるκ方式のＯＰＣを実施するためのパラメータとして少なくとも指定記録パワーを用い，各記録層に対する指定記録パワーを層番号の多項式関数（ｍ次関数；但しｍは０以上の整数）で与えるようにした。すなわち，層番号をｎとしたとき，第ｎ記録層に対する指定記録パワーＰＩＮＤ（ｎ）は次式の数３で与えられる。【００３４】
【数３】
2012140824.tif 000005
【００３５】
ここで，ｃｘはｎのｘ次の項の係数である。本構成はすなわち層番号と実際の指定記録パワーとの関係を多項式関数で近似し，この多項式関数を特定するための係数ｃ０，ｃ１，ｃ２，・・・，ｃｍ−１，ｃｍを示したパラメータを媒体制御情報に記載するというものである。係数ｃ０，ｃ１，ｃ２，・・・，ｃｍ−１，ｃｍの組は少なくとも層グループで分類された媒体制御情報ユニット毎に記載されるため，層グループが異なれば各係数の値は異なる。本構成では多項式関数を用いたことにより，層番号と指定記録パワーとが複雑な関係になっていても，次数の高い多項式関数を用いれば，多項式関数の値と実際の指定記録パワーの値との誤差を小さくすることができる。本構成の媒体を用いた場合，記録しようとする記録層（記録対象層）に対する指定記録パワーは，記録対象層が属する層グループに対応した媒体制御情報ユニットを参照し，そこに記載された各係数から多項式関数を特定し，特定された多項式関数に記録対象層の層番号を代入することで算出することができる。すなわち，層グループ毎に与えられた媒体制御情報から各記録層に対する指定記録パワーをそれぞれ求めることができる。これにより，媒体制御情報のデータ量を削減しても各記録層に対して適切な指定記録パワーを用いてκ方式のＯＰＣを実施することができるようになったため，本発明における第１の目的を達成するにあたり，より好ましい構成となった。【００３６】
（７）前記（６）の多層光情報記録媒体において，前記層番号の多項式関数は前記層番号の１次関数であるものとした。【００３７】
本構成は，上記（６）の構成において指定記録パワーを与える層番号の多項式関数をより具体化したものである。本構成では，各記録層に対する指定記録パワーを層番号の１次関数で与えるようにした。すなわち，層番号をｎとしたとき，第ｎ記録層に対する指定記録パワーＰＩＮＤ（ｎ）は次式の数４で与えられる。【００３８】
【数４】
2012140824.tif 000006
【００３９】
ここで，ｃ０およびｃ１はｎの０次および１次の項の係数である。本構成はすなわち層番号と実際の指定記録パワーとの関係を１次関数で近似し，この１次関数を特定するための係数ｃ０およびｃ１を示したパラメータを媒体制御情報に記載するというものである。係数ｃ０およびｃ１の組は少なくとも層グループで分類された媒体制御情報ユニット毎に記載されるため，層グループが異なれば各係数の値は異なる。本構成では上記１次関数の各係数ｃ０およびｃ１を特定するためのパラメータを媒体制御情報の一部として媒体に記載した。多項式関数を１次関数に限定したことにより，これを特定するための情報は係数ｃ０およびｃ１のみであり必要最小限に抑えられ，媒体制御情報のデータ量を削減できた。本構成により，本発明における第１の目的を達成するにあたり，より好ましい構成となった。【００４０】
（８）更に，記録パルスのタイミングを示したパラメータが前記媒体制御情報に含まれたものとした。【００４１】
本構成は，上記（１）乃至（７）の構成をより具体化したものである。本構成では，記録パルスのタイミングを示したパラメータを媒体制御情報に記載した。ここで，記録パルスのタイミングを示したパラメータとは，情報を記録する際に媒体に照射する光の発光のタイミングに関するものであり，具体的には記録パルス列を構成する各パルスの開始時刻や終了時刻，あるいは時間幅などである。本構成では，同一の層グループに属する全記録層に対して共通の記録パルス条件が用いられることになるため，その場合にも各記録層に対して適切に情報を記録できるように各記録層の記録特性や層グループへの分類の仕方が設計されることが望ましい。本構成により，媒体制御情報のデータ量を削減しても各記録層に対して適切な記録パルスを用いて情報を記録できるようになったため，本発明における第１の目的が達成するにあたり，より好ましい構成となった。【００４２】
（９）更に、前記記録層の各々が属する層グループを特定するためのパラメータが前記媒体制御情報に含まれたものとした。【００４３】
本構成は，上記（１）乃至（８）の構成をより具体化したものである。本発明の多層光情報記録媒体を記録再生装置において有効に利用するためには，各記録層に対してどの媒体制御情報ユニットを適用すべきかの情報が必要となる。それは各記録層が属する層グループを特定するための情報である。記録層と層グループとの関係は，例えば媒体の規格などで予め定められていてもよいし，媒体の供給元により媒体毎に任意に定められてもよい。本構成では，特に媒体供給元により任意に定められる場合を想定し，各記録層が属する層グループを特定するためのパラメータを媒体制御情報の一部として媒体に予め記載した。具体的には，媒体制御情報ユニット毎に当該媒体制御情報ユニットが適用される層グループおよび記録層を示したパラメータを記載した。本構成により，媒体制御情報のデータ量を削減しても，記録再生装置においては各記録層に適切な媒体制御情報を適用することができるようになったため，本発明における第１の目的を達成するにあたり，より好ましい構成となった。【００４４】
（１０）更に，同一の層グループに属する全ての記録層は同一の膜構成により形成されたものとした。【００４５】
本構成は，上記（４），（７）および（８）の構成をより具体化したものであり，これらの構成を容易に実現するための手段のひとつである。【００４６】
まず，（８）の多層光情報記録媒体のように層グループ毎に共通の記録パルス条件が与えられる，すなわち同一の層グループに属する全ての記録層に対して同一の記録パルス条件を用いて情報を記録できるようにするするためには，それらの記録層の記録特性が等しくなるようにする必要がある。そこで，本構成では，同一の層グループに属する全ての記録層が，同一の膜構成を持つようにした。ここで膜構成とは，記録層を形成する記録膜やそれ以外の膜（保護膜や反射膜）のそれぞれの組成および厚さの条件のことである。また、同一の膜構成とは、成膜条件を同一とすることにより、組成、膜厚をほぼ同一とする、との意味であって、完成した膜の組成、膜厚が完全に同一である、という意味でない。これにより，層グループ内の全記録層の記録特性がほぼ等しくなるため，同一の記録パルス条件を用いて適切に情報を記録できるようになった。【００４７】
次に，（４）および（７）の多層光情報記録媒体のように，それぞれ最大再生パワーおよび指定記録パワーが層番号の１次関数で与えられるようにするためには，それらの記録層の再生光に対する耐性や記録光に対する感度が等しくなるようにし，かつ媒体に入射する光のパワーを層番号の１次関数で与えたときに各記録層に到達する光のパワーが等しくなるようにする必要がある。これも同一の層グループに属する全ての記録層が同一の膜構成を持つようにすることにより実現できる。それは，同一の膜構成を持つ各記録層単体での透過率は等しいため，その透過率が十分大きい条件では，各記録層に到達する光のパワーを等しくするための媒体入射光パワーは近似的に層番号の１次関数で与えられるからである。【００４８】
図３は，８層の記録層を持つ層グループについて，層番号と，その層番号の記録層に到達する光のパワーを１ｍＷにするために層グループに入射すべき光のパワーとの関係を示したグラフである。ここで，各記録層の層番号は光入射面から遠い方から順に０，１，・・・，７と付けた。また，各記録層の透過率は等しく９５％であるとし，中間層（記録層間の透明層）による光のロスは無いものとした。グラフ上の実線は各データ点から得られた回帰１次関数（回帰直線）を示している。このグラフによると，１次関数で与えられるパワーと真に必要なパワーとの間の誤差は最大で１．１％と非常に小さく，本構成において入射光パワーは層番号の１次関数でよく近似できることが分かる。【００４９】
なお，本構成の媒体では，図３が示すように，層番号が小さいほど，すなわち光入射面からみて奥の記録層ほど必要パワーが大きくなる。このため，記録層の層グループへの分類の仕方を決定する際には，例えば奥側の層グループほど光吸収率を大きくするなどして，全記録層に対する必要パワーがレーザ光源の出力可能範囲に収まるようにすることが望ましい。【００５０】
以上のように，本構成により，媒体制御情報のデータ量を削減しても各記録層に対して適切なパワーで記録・再生を行うことができるようになったため，本発明における第１の目的を達成にするにあたり，より好ましい構成となった。【００５１】
（１１）３層以上の記録層を持ち，前記記録層は前記記録層の数より少ない数の層グループに分類され，前記分類された層グループ毎に層グループ内で共通の媒体制御情報が与えられ，前記媒体制御情報が所定の領域に予め記載され，前記記録層の各々に対する最大再生パワーを特定するためのパラメータが前記媒体制御情報に含まれた多層光情報記録媒体から再生対象層が属する前記層グループに対応した前記媒体制御情報を読み出す工程と，前記読み出した媒体制御情報から前記再生対象層に対する最大再生パワーを特定するためのパラメータを抽出する工程と，前記抽出したパラメータを用いて前記再生対象層に対する最大再生パワーを特定する工程と，前記特定した最大再生パワーを超えない大きさの再生パワーで前記再生対象層の情報を再生する工程と，を備えた情報再生方法とした。【００５２】
本構成は，（２）の多層光情報記録媒体を用いることを想定した情報の再生方法である。（２）の媒体には媒体制御情報が層グループで分類されて記載されており，その内容には各記録層に対する最大再生パワーを特定するためのパラメータが含まれている。本構成では，再生対象層に対して再生制御を行うために，その記録層が属する層グループに対応した媒体制御情報を読み出し，読み出した媒体制御情報から最大再生パワーを特定するためのパラメータを抽出し，抽出したパラメータから最大再生パワーを算出し，最大再生パワーを超えない大きさの再生パワーで再生対象層の情報を再生する。本構成により，媒体制御情報のデータ量を削減しても各記録層に対して記録済みトラックを劣化させることなく情報を再生することが可能になったため，本発明における第１の目的を達成するにあたり，好ましい構成となった。【００５３】
（１２）前記（１１）の情報再生方法において，前記記録層の各々には，前記多層光情報記録媒体の光入射面から見て奥から順に，または手前から順に連続した整数の層番号が付けられ，前記記録層の各々に対する前記最大再生パワーは前記層番号の多項式関数で与えられ，前記記録層の各々に対する最大再生パワーを特定するためのパラメータは，層グループ毎に与えられた前記層番号の多項式関数の各係数を示したパラメータであって，前記パラメータを抽出する工程は，前記読み出した媒体制御情報から前記再生対象層に対する前記層番号の多項式関数の各係数を示したパラメータを抽出する工程であって，前記最大再生パワーを特定する工程は，前記抽出したパラメータを用いて前記層番号の多項式関数を特定し，前記層番号の多項式関数に前記再生対象層の層番号を代入することにより前記再生対象層に対する最大再生パワーを算出工程である情報再生方法とした。【００５４】
本構成は，（１１）の情報記録再生方法をより具体化したものであり，（３）の多層光情報記録媒体を用いることを想定した情報の再生方法である。（３）の媒体では，光入射面から見て奥の記録層から，または手前の記録層から順に連続した整数の層番号が，例えば０，１，２，・・・というように付けられ，各記録層に対する最大再生パワーが層番号の多項式関数で与えられ，その多項式関数の各係数を示したパラメータが媒体制御情報の一部として記載されている。本構成では，再生対象層に対して再生制御を行うために，その記録層が属する層グループに対応した媒体制御情報を読み出し，読み出した媒体制御情報から各記録層に対する最大再生パワーを与える多項式関数の各係数を示した層グループ毎に与えられたパラメータを抽出し，抽出したパラメータから多項式関数を特定し，特定した多項式関数に再生対象層の層番号を代入することにより最大再生パワーを算出し，算出した最大再生パワーを超えない大きさの再生パワーで再生対象層の情報を再生する。本構成により，媒体制御情報のデータ量を削減しても各記録層に対して記録済みトラックを劣化させることなく情報を再生することが可能になったため，本発明における第１の目的を達成するにあたり，より好ましい構成となった。【００５５】
（１３）３層以上の記録層を持ち，前記記録層は前記記録層の数より少ない数の層グループに分類され，前記分類された層グループ毎に層グループ内で共通の媒体制御情報が与えられ，前記層グループ毎に与えられた媒体制御情報が前記多層光情報記録媒体上の所定の領域に予め記載され，前記記録層の各々に対してＯＰＣを実施するためのパラメータが前記媒体制御情報に含まれた多層光情報記録媒体から記録対象層が属する前記層グループに対応した前記媒体制御情報を読み出す工程と，前記読み出した媒体制御情報から前記記録対象層に対してＯＰＣを実施するためのパラメータを抽出する工程と，前記抽出したパラメータを用いて前記記録対象層において前記ＯＰＣを行い前記記録対象層に対する記録パワーを決定する工程と，前記決定した記録パワーを用いて前記記録対象層に情報を記録する工程と，を備えた情報記録方法とした。【００５６】
本構成は，（５）の多層光情報記録媒体を用いることを想定した情報の記録方法である。（５）の媒体には媒体制御情報が層グループで分類されて記載されており，その内容には各記録層に対してＯＰＣを実施するためのパラメータが含まれている。本構成では，記録対象層に対して記録制御を行うために，その記録層が属する層グループに対応した媒体制御情報を読み出し，読み出した媒体制御情報からＯＰＣを実施するためのパラメータを抽出し，抽出したパラメータを用いて記録対象層においてＯＰＣを実施して記録対象層に対する記録パワーを決定し，決定した記録パワーで記録対象層に情報を記録する。本構成により，媒体制御情報のデータ量を削減しても各記録層に対して適切な記録パワーで情報を記録することが可能になったため，本発明における第１の目的を達成するにあたり，好ましい構成となった。【００５７】
（１４）前記（１３）の情報記録方法において，前記ＯＰＣを実施するためのパラメータには，少なくともκ方式のＯＰＣを実施するための指定記録パワーが含まれ，前記記録層の各々には，前記多層光情報記録媒体の光入射面から見て奥から順に，または手前から順に連続した整数の層番号が付けられ，前記記録層の各々に対する前記指定記録パワーは前記層番号の多項式関数で与えられ，前記記録層の各々に対する指定記録パワーを特定するためのパラメータは，前記層番号の多項式関数の各係数を示した層グループ毎に与えられたパラメータであって，前記パラメータを抽出する工程は，前記多項式関数の各係数を示した層グループ毎に与えられたパラメータを抽出する工程であって，前記記録パワーを決定する工程は，前記抽出したパラメータから前記多項式関数を特定し，前記特定した多項式関数に前記記録対象層の層番号を代入することにより前記記録対象層に対する指定記録パワーを算出し，前記算出した指定記録パワーを用いて前記記録対象層においてκ方式のＯＰＣを実施し，前記記録対象層に対する記録パワーを決定する工程を有する情報記録方法とした。【００５８】
本構成は，（１３）の情報記録再生方法をより具体化したものであり，（６）の多層光情報記録媒体を用いることを想定した情報の再生方法である。（６）の媒体では，光入射面から見て奥の記録層から，または手前の記録層から順に連続した整数の層番号を，例えば０，１，２，・・・というように付け，各記録層に対する指定記録パワーが層番号の多項式関数で与えられ，その多項式関数の各係数を示したパラメータが媒体制御情報の一部として記載されている。本構成では，記録対象層に対して記録制御を行うために，その記録層が属する層グループに対応した媒体制御情報を読み出し，読み出した媒体制御情報から各記録層に対する指定記録パワーを与える多項式関数の各係数を示した層グループ毎に与えられたパラメータを抽出し，抽出したパラメータから多項式関数を特定し，特定した多項式関数に記録対象層の層番号を代入することにより記録対象層に対する指定記録パワーを算出し，算出した指定記録パワーと抽出したκ値およびρ値を用いて記録対象層においてκ方式のＯＰＣを実施して記録対象層に対する記録パワーを決定し，決定した記録パワーで記録対象層に情報を記録する。本構成により，媒体制御情報のデータ量を削減しても各記録層に対して適切な記録パワーで情報を記録することが可能になったため，本発明における第１の目的を達成するにあたり，より好ましい構成となった。【００５９】
（１５）前記（１４）の情報記録方法において，前記層番号の関数は，層番号の１次関数であって，同一の層グループに属する記録層のうち少なくとも２層の記録層でそれぞれＯＰＣを実施し，それぞれの記録層に対する記録パワーを決定する工程と，前記ＯＰＣを実施した記録層の層番号と決定された記録パワーとの関係に対応した回帰１次関数を算出する工程と，前記算出した回帰１次関数に，前記ＯＰＣを実施した記録層と同一の層グループに属する他の記録層の層番号を代入することにより，前記他の記録層に対する記録パワーを決定する工程と，を有する情報記録方法とした。【００６０】
本構成は，上記（１４）の構成をより具体化したものであり，上記（７）の多層光情報記録媒体を用いることを想定した情報の記録方法である。（７）の媒体では各記録層に対する指定記録パワーが層番号の１次関数で与えられるように設計されている。ここで，各記録層に対する最適記録パワーも層番号の１次関数に従う。そこで本構成では，同一の層グループに属する複数の記録層でＯＰＣを実施し，層番号と決定された記録パワーとの関係に対応した回帰１次関数（回帰直線）を求め，その回帰１次関数に同じ層グループに属する残りの記録層の層番号を代入することにより，残りの記録層に対する記録パワーを決定するようにした。ここで，本構成の効果を得るには実際の指定記録パワーが層番号の１次関数でよく近似できることが前提となるため，実際の指定記録パワーと層番号の１次関数で与えられるパワーとの誤差が要求されるパワー精度に基づいた所定の範囲に収まるように，層グループ数や各層グループに属する記録層が決定されることが望ましい。これにより，層グループ内の全ての記録層でＯＰＣを実施しなくても，全ての記録層に対する記録パワーを決定することができるため，従来の光ディスクと比較してＯＰＣの所要時間を短縮することができ，本発明における第１および第２の目的が達成された。【００６１】
また，本構成では，層グループ内のいずれかの記録層でＯＰＣを実施すれば当該層グループ内の全層に対する記録パワーを決定できるため，媒体上のＯＰＣ領域のサイズが増加したことと等価であるという効果がある。このことは記録情報の上書きのできない追記型媒体において特に大きな利点となる。【００６２】
（１６）前記（１３）乃至（１５）の情報記録再生方法において，前記指定記録パワーを特定するためのパラメータを抽出する工程と，各記録層に対するパラメータを用いて各記録層に対する指定記録パワーをそれぞれ算出する工程と，いずれか１層の記録層においてＯＰＣを実施して，その記録層に対する記録パワーを決定する工程と，前記決定された記録パワーと前記パラメータとに基づいて前記記録層が属する前記層グループの残りの記録層に対する記録パワーを決定する工程と，各記録層に対して前記決定した記録パワーで情報を記録する工程と，を備えたことを特徴とする情報記録再生方法とした。【００６３】
本構成は，上記（１３）の構成をより具体化したものである。層グループ内のいずれか１層に対してＯＰＣを行うことにより決定された記録パワーと，当該層番号を媒体制御情報に記載されたパラメータにより指定される多項式関数に代入して算出された記録パワーとの比を算出し，層グループ内の残りの層の記録パワーは，多項式から算出される各記録層の記録パワーに前記比を乗じることにより算出される。ここで，本構成の効果を得るには実際の指定記録パワーが層番号の多項式関数でよく近似できることが前提となるため，実際の指定記録パワーと層番号の多項式関数で与えられるパワーとの誤差が要求されるパワー精度に基づいた所定の範囲に収まるように，層グループ数や各層グループに属する記録層が決定されることが望ましい。これにより，層グループ内の全ての記録層でＯＰＣを実施しなくても，全ての記録層に対する記録パワーを決定することができるため，従来の光ディスクと比較してＯＰＣの所要時間を短縮することができ，本発明における第１および第２の目的が達成された。
【発明の効果】
【００６４】
本発明によれば，多層光情報記録媒体における，記録層数の増大に伴う媒体制御情報データ量の増大およびＯＰＣ所要時間の増大を抑制できるため，大容量で信頼性の高い多層光情報記録媒体およびそれを用いた情報記録再生装置を低コストで提供することが可能となる。
【図面の簡単な説明】
【００６５】
【図１】従来の光ディスク媒体におけるデータ領域を示した図。
【図２】従来の光ディスク媒体における媒体制御情報ユニットの構成を示した図。
【図３】層番号と媒体入射光パワーとの関係を示したグラフ。
【図４】本発明の実施例における多層光ディスク媒体の断面構造を模式的に示した図。
【図５】本発明の実施例における多層光ディスク媒体のデータ構造を示した図。
【図６】本発明の実施例における媒体制御情報ユニットの構成を示した図。
【図７】本発明の実施例における光ディスク装置の構成を示した図。
【図８】本発明の実施例におけるＮ−１記録ストラテジの記録パルス波形を示した図。
【図９】本発明の実施例における媒体制御情報ユニット番号と当該媒体制御情報ユニットが適用される条件との対応関係を示した図。
【図１０】本発明の実施例における情報再生手順の一形態を示したフローチャート。
【図１１】本発明の実施例における情報記録手順の一形態を示したフローチャート。
【図１２】本発明の実施例における情報記録手順の一形態を示したフローチャート。
【図１３】本発明の実施例における情報記録手順の一形態を示したフローチャート。
【図１４】本発明の実施例における最適記録パワーの算出方法を示した図。
【発明を実施するための形態】
【００６６】
以下，図面を参照して本発明の実施の形態を説明する。
【実施例１】
【００６７】
本発明の多層光情報記録媒体を光ディスクに適用した例について説明する。本実施例の光ディスク媒体は追記型のＢＤ−Ｒの物理フォーマットをベースとしており，波長４０５ｎｍの光源と開口数０．８５の対物レンズを用いることを前提に設計されている。ディスクの直径は１２０ｍｍ，厚さは１．２ｍｍである。【００６８】
図４は本実施例の多層光ディスク媒体の断面構造を模式的に示した図である。多層光ディスク媒体４０１は，基板４０２，第０記録層４０３，中間層４０４，第１記録層４０５，中間層４０６，第２記録層４０７，中間層４０８，第３記録層４０９，中間層４１０，第４記録層４１１，中間層４１２，第５記録層４１３，中間層４１４，第６記録層４１５，中間層４１６，第７記録層４１７およびカバー層４１８を，順に積み重ねることで構成されている。基板４０２は，厚さ１．０５ｍｍの円板であり，材料としてはポリカーボネート樹脂が用いられている。基板表面には，光スポットを一定の半径位置に追従（トラッキング）させるための案内溝（グルーブ）が０．３２μｍのピッチでらせん状に形成されており，この案内溝に沿って，チャネルビット長をＴとして２Ｔ〜８Ｔの長さの記録マークおよび記録マーク間部（スペース）が形成される。ここで，チャネルビット長は７４．５ｎｍであり，この条件において記録層１層あたりのデータ容量は２５ＧＢとなる。基板４０２の次には第０記録層１０３が形成されている。記録層は記録膜を保護膜で挟んだ構造となっており，記録膜材料としては，無機材料である窒化Ｂｉ−Ｇｅ合金が用いられ，二値データの”０”と”１”を，それぞれ高反射率部分と低反射率部分に割り当てて記録し，それらの反射率差を利用して二値データの”０”と”１”を判別することによりデータを再生している。中間層は記録層同士を隔てるために形成されており，中間層４０４，４０８，４１２および４１６の厚さは約１２μｍ，中間層４０６，４１０および４１４の厚さは約１６μｍであり，材料としては紫外線硬化樹脂が用いられている。最後に，ディスクの表面保護のために，厚さ５４μｍの紫外線硬化樹脂製のカバー層４１８が形成されている。【００６９】
各記録層は２つの層グループに分類されている。第０記録層から第２記録層までの３つの記録層は第０層グループに分類され，第３記録層から第７記録層までの５つの記録層は第１層グループに分類されている。同一の層グループに属する記録層は同一の記録膜および保護膜によって構成されており，再生光に対する耐性や記録光に対する感度，また透過率，反射率および吸収率等の光学特性は，層グループ内ではほぼ等しくなっている。ここで，全記録層の記録膜の組成や膜厚は同一であるが，保護膜の厚さは第０層グループと第１層グループで変えており，上述の記録・再生特性や光学特性が異なる。【００７０】
各記録層の記録膜は，標準記録速度を４．９２ｍ／ｓとして，Ｎ−１記録ストラテジによる１倍速，２倍速および４倍速での記録，キャッスル記録ストラテジによる４倍速での記録に対応するように設計されている。【００７１】
なお、上記の他、層グループ毎に記録膜の組成や膜厚を変えても良い。【００７２】
ここで，記録層の層グループへの分類の仕方について補足する。全ての記録層の特性を同一にする（層グループ数を１つにする）と，各記録層からの戻り光の強度は奧に位置する記録層ほど小さくなるため，奧の方の記録層では記録再生装置が要求する信号対雑音比（ＳＮ比）の下限に満たず，情報の再生の信頼性を確保できなくなることがある。その場合には，ＳＮ比が不足する記録層を別の層グループに分類し，その層グループに属する記録層の反射率を大きくする。本実施例では，奧に位置する第０層グループに属する記録層の反射率を第１層グループより大きくすることで，第０層グループの最奥層である第０記録層および第１層グループの最奥層である第３記録層のいずれにおいても，所定の戻り光強度を確保できるようにしている。以上の方法は記録層数が８層以外の場合にも同様である。記録層数を更に増加させる場合には必要に応じて層グループ数を増やす。
【実施例２】
【００７３】
次に，本発明の媒体制御情報の構成について説明する。図５は，本発明の多層光ディスク媒体のデータ構造を示した図である。多層光ディスク媒体５０１の各記録層のデータは，内周側から順に，リードイン領域５０２，データ領域５０３，リードアウト領域５０４によって構成される。リードイン領域５０２は，媒体制御情報が記載された媒体制御情報領域５０５，記録パワー学習が行われるＯＰＣ領域５０６およびその他の領域からなる。【００７４】
媒体制御情報領域５０５に記載されている媒体制御情報の詳細について説明する。媒体制御情報の構造は，基本的には図１に示した従来の光ディスクの場合と同様であり，媒体制御情報１０４はリードイン領域１０１に記載されている。媒体制御情報１０４は，記録速度，層グループおよび記録パルス種別の組み合わせに応じてそれぞれ与えられた１２個の媒体制御情報ユニットからなる。図９は，本実施例における媒体制御情報ユニット番号と当該媒体制御情報ユニットが適用される条件との対応関係を示した図である。媒体制御情報ユニットは，まず記録速度によって昇順に分類され，次に層グループで昇順に分類され，最後に記録パルス種別で分類される。本実施例の媒体が対応する記録速度は１倍速，２倍速および４倍速の３種類であり，層グループは第０層グループおよび第１層グループの２種類であり，記録パルス種別は１倍速および２倍速の場合はＮ−１記録ストラテジの１種類，４倍速の場合はＮ−１記録ストラテジおよびキャッスル記録ストラテジの２種類であるので，合計８種類の媒体制御情報ユニットが与えられている。このような媒体制御情報ユニット０から媒体制御情報ユニット７までのセットが，媒体制御情報領域５０５の中に繰り返し記載されている。【００７５】
次に，各媒体制御情報ユニットの構成について，図６を用いて説明する。各媒体制御情報ユニットは，ヘッダ情報６０１，記録再生制御情報６０２およびフッタ情報６０３の合計１１２バイトのデータにより構成される。【００７６】
ヘッダ情報６０１は，以下のパラメータにより構成される。識別情報６２９は，当該データユニットが媒体制御情報であることを示す。フォーマット情報６３０は，当該媒体制御情報ユニットの内容の種別を示す。ユニット数／適用層グループ情報６３１は，媒体制御情報ユニットの種類の数および当該媒体制御情報ユニットが適用される層グループを示す。適用記録層情報６３２は，当該媒体制御情報ユニットが適用される記録層を示す。ここで，ユニット数／適用層グループ情報６３１および適用記録層情報６３２の情報から，各記録層が属する層グループを特定することができる。また，図９に示した記録速度の種類と記録パルス種別の組み合わせの形式は予め媒体の規格で定められており，この形式を特定するための識別番号がフォーマット情報６３０に記載されている。従って，ユニット数／適用層グループ情報６３１の情報から媒体制御情報ユニットの数を知ることにより，層グループの数も知ることができるようになっている。ユニット番号情報６３３は，媒体制御情報領域における当該媒体制御情報ユニットの通し番号を示す。継続フラグ／バイト数情報６３４は，次の媒体制御情報ユニットに跨る媒体制御情報の記載の有無および当該媒体制御情報ユニットにおいて記録再生制御情報に割り当てられたバイト数を示す。リザーブ６３５は，将来の拡張のための予約パラメータであり，暫定的に全ゼロデータが記載されている。【００７７】
記録再生制御情報６０２の内容は，媒体情報６０４，再生パワー情報６０５，ＯＰＣ情報６０６および記録パルス情報６０７に分けられ，それぞれの項目に関連したパラメータが記載される。フッタ情報６０３には，媒体製造元や媒体製造年月の情報などが含まれる。【００７８】
媒体情報１０４は，以下のパラメータにより構成される。ディスクタイプ情報６０８は，当該媒体制御情報が適用される記録層の種別が書き換え型／追記型のいずれであるかを示す。ディスクサイズ／クラス／バージョン情報６０９は，ディスクの直径，ディスクフォーマットのクラスおよびバージョンを示す。ディスク構造情報６１０は，記録層数および当該媒体制御情報が適用される記録層の種別（書き換え型／追記型／再生専用型）を示す。ハイブリッドディスク／チャネルビット長情報６１１は，ＣＤ・ＤＶＤ層の有無およびチャネルビット長を示す。プッシュプル信号極性情報６１２は，プッシュプル方式によるトラッキング誤差信号の極性を示す。記録マーク極性情報６１３は，記録マークの特性がＨｉｇｈ−ｔｏ−Ｌｏｗ（記録マークの反射率が未記録部より小さい）およびＬｏｗ−ｔｏ−Ｈｉｇｈ（記録マークの反射率が未記録部より大きい）のいずれであるかを示す。ＢＣＡ情報６１４は，ＢＣＡ（Burst Cutting Area）コードの有無を示す。転送速度情報６１５は，アプリケーションに要求される最大データ転送速度を示す。リザーブ６１６は，リザーブ６３５と同様の予約パラメータである。データ領域配置情報６１７は，当該記録層におけるデータ領域のアドレス範囲を示す。記録速度情報６１８は，当該媒体制御情報が適用される記録速度の範囲を示す。【００７９】
再生パワー情報６０５は，以下のパラメータにより構成される。最大再生パワー（ＤＣ）情報６１９は，当該媒体制御情報ユニットが適用される記録速度においてＤＣ光による再生を行う際の媒体入射光パワーの最大値を示す。この最大再生パワーは，記録済みトラックを１０６回再生した後にも再生信号の品質が所定の基準値を満たすように定められる。最大再生パワー（ＨＦ）情報６２０は，高周波重畳光による再生を行う際の媒体入射光パワーの最大値を示す。リザーブ６２１は，リザーブ６３５および６１６と同様の予約パラメータである。【００８０】
ＯＰＣ情報６０６は，ＯＰＣ実施時の条件を示した記録パワー設定情報６２２からなる。記録パワー設定情報６２２は，κ方式のＯＰＣを実施するための指定記録パワーＰＩＮＤ，目標変調度ｍＩＮＤ，係数ρ，バイアスパワー対ピークパワー比εＢＷ，クーリングパワー対ピークパワー比εＣ，スペースパワー対ピークパワー比εＳ，係数目標値κ，およびβ方式のＯＰＣを実施するためのアシンメトリβによって構成される。【００８１】
記録パルス情報６０７は，記録時に用いられる記録パルスのタイミングを指定するパラメータによって構成される。本実施例では，記録パルス種別として“Ｎ−１記録ストラテジ”および“キャッスル記録ストラテジ”のいずれかを用いることができるが，ここでは，図８に示した“Ｎ−１記録ストラテジ”を用いるものとして説明する。図８は，２Ｔ〜５Ｔマークを形成するための記録パルス波形を示したものである。ここで，パワーレベルＰＷはピークパワー，ＰＢＷはバイアスパワー，ＰＳはスペースパワー，ＰＣはクーリングパワーと呼ばれる。Ｎ−１記録ストラテジでは，２Ｔマークの場合はピークパワーレベルの記録パルスは１本，３Ｔマークの場合は２本であり，以下マーク長が１Ｔ増加する毎に１本ずつ増加していく。【００８２】
記録パルス列を構成する最初のピークパワーレベルのパルスは先頭パルス，最後のピークパワーレベルのパルスは最終パルス，および先頭パルスと最終パルスの間の複数のピークパワーレベルのパルスは中間パルスと呼ばれる。Ｎ−１記録ストラテジにおける記録パルス波形は，中間パルスの時間幅ＴＭＰ，先頭パルスの開始時刻ｄＴｔｏｐ，先頭パルスの時間幅Ｔｔｏｐ，最終パルスの時間幅ＴＬＰ，およびクーリングパルスの終了時刻ｄＴＳによって指定される。記録パルス情報６０７は，ＴＭＰ設定情報６２３，ｄＴｔｏｐ設定情報６２４，Ｔｔｏｐ設定情報６２５，ＴＬＰ設定情報６２６，ｄＴＳ設定情報６２７からなる。未使用６２８にあたるパラメータ領域は使用されない。ＴＭＰ設定情報６２３には，当該記録マークの長さが２Ｔ，３Ｔおよび４Ｔ以上の場合の合計３通りのパラメータ値が記載される。ｄＴｔｏｐ設定情報６２４およびＴｔｏｐ設定情報６２５に関しては，当該記録マークの長さが２Ｔ，３Ｔおよび４Ｔ以上の場合に分類され，更に当該記録マークに先行するスペースの長さが２Ｔ，３Ｔ，４Ｔおよび５Ｔ以上の４通りの場合に分類され，合計３×４＝１２通りのパラメータ値が記載される。ＴＬＰ設定情報６２６およびｄＴＳ設定情報６２７に関しては，当該記録マークの長さが２Ｔ，３Ｔおよび４Ｔ以上の場合の合計３通りのパラメータ値が記載される。【００８３】
ここで，代表的なパラメータについて，その値の具体的な記載方法を説明する。ユニット数／適用層グループ情報６３１については，この情報に割り当てられた１バイト（８ビット）のデータのうち上位５ビットには媒体制御情報ユニットの数が記載され，下位３ビットには当該媒体制御情報ユニットが適用される層グループの番号が，例えば第０層グループなら０００，第１層グループなら００１というように記載される。【００８４】
次に，適用記録層情報６３２については，この情報に割り当てられた１バイトには当該媒体制御情報ユニットが適用される層番号の範囲（最小値と最大値）が記載される。具体的には例えば当該媒体制御情報ユニットが適用される層番号の範囲が３〜７のとき，上位４ビットには層番号の最小値００１１が記載され，下位４ビットには層番号の最大値０１１１が記載される。ディスク構造情報６１０については，この情報に割り当てられた１バイトのデータの上位４ビットにはトータルの記録層数が，例えば１層の場合には０００１，８層の場合には１０００と記載される。また，下位４ビットには当該媒体制御情報が適用される記録層の種別が，書き換え型／追記型／再生専用型の場合にそれぞれ０１００／００１０／０００１と記載される。本実施例の媒体は追記型であるため，ここには００１０と記載される。【００８５】
次に，最大再生パワー（ＤＣ）情報６１９について説明する。第ｎ記録層に対するＤＣ光照射による最大再生パワー（単位はｍＷ）が下記の数５【００８６】
【数５】
2012140824.tif 000007
【００８７】
のような層番号ｎの１次関数で与えられるとき，この情報に割り当てられた２バイトのデータのうち最初の１バイトにはｉ＝１００×ｃ０なる整数値ｉが符号無し８ビット形式で記載され，次の１バイトにはｉ＝１０００×ｃ１なる整数値ｉが２の補数表現の８ビット形式で記載される。具体的な例を示すと，最大再生パワーＰｒｍａｘ（ｎ）が下記の数６【００８８】
【数６】
2012140824.tif 000008
【００８９】
で与えられる場合，ｃ０については，１００×１．４２＝１４２であるので，ｃ０を示すバイトには１４２の２進数表現である“１０００１１１０”が記載され，ｃ１については，１０００×（−０．０６２）＝（−６２）であるので，ｃ１を示すバイトには（−６２）の２進数表現（２の補数）である“１１００００１０”が記載される。最大再生パワー（ＨＦ）情報６２０についても同様の形式で，高周波重畳光照射による最大再生パワー（単位はｍＷ）が記載される。なお，ｃ０およびｃ１の値は層グループ毎に異なる。上記の例は最大再生パワーが層番号の１次関数で与えられる場合の具体例であるが，一般に下記の数１１【００９０】
【数１１】
2012140824.tif 000009
【００９１】
のように最大再生パワーが層番号ｎのｍ次関数で与えられる場合も同様である。この場合，最大再生パワー（ＤＣ）情報６１９および最大再生パワー（ＨＦ）情報６２０にそれぞれ（ｍ＋１）バイトのデータが割り当てられるように媒体制御情報ユニットの構成が変更され，（ｍ＋１）バイトのデータの各バイトにｃ０，ｃ１，ｃ２，・・・，ｃｍ−１，ｃｍの値を示す整数値が記載される。【００９２】
次に，記録パワー設定情報６２２について説明する。この情報に割り当てられた９バイトのデータのうち最初の２バイトには，第ｎ記録層に対する指定記録パワー（単位はｍＷ）が記載される。指定記録パワーが下記の数７【００９３】
【数７】
2012140824.tif 000010
【００９４】
のような層番号ｎの１次関数で与えられるとき，２バイトのうち最初の１バイトにはｉ＝１００×ｃ０なる整数値ｉが符号無し８ビット形式で記載され，次の１バイトにはｉ＝１０００×ｃ１なる整数値ｉが２の補数表現の８ビット形式で記載される。なお，ｃ０およびｃ１の値は層グループ毎に異なる。記録パワー設定情報６２２に割り当てられた残りの７バイトには，１バイトずつｉ＝２００×ｍＩＮＤなる整数値ｉ，ｉ＝１００×ρなる整数値ｉ，ｉ＝２００×εＢＷなる整数値ｉ，ｉ＝２００×εＣなる整数値ｉ，ｉ＝２００×εＳなる整数値ｉ，ｉ＝２０×κなる整数値ｉ，ｉ＝５００×（β＋０．２）なる整数値ｉがそれぞれ記載される。上記の例は指定記録パワーが層番号の１次関数で与えられる場合の具体例であるが，一般に下記の数１２【００９５】
【数１２】
2012140824.tif 000011
【００９６】
のように指定記録パワーが層番号ｎのｍ次関数で与えられる場合も同様である。この場合，記録パワー設定情報６２２に（ｍ＋８）バイトのデータが割り当てられるように媒体制御情報ユニットの構成が変更され，（ｍ＋８）バイトのうち最初の（ｍ＋１）バイトにｃ０，ｃ１，ｃ２，・・・，ｃｍ−１，ｃｍの値を示す整数値が記載される。【００９７】
ここに挙げたパラメータ以外についても，その内容やパラメータ値の記載形式などはそれぞれ異なるが，類似の方法でパラメータ値が記載される。
【実施例３】
【００９８】
本発明を実施するのに好適な光ディスク装置の構成例について，図７を用いて説明する。装置に装着された多層光ディスク媒体７００は，スピンドルモータ７６０により回転される。再生時には，ＣＰＵ７４０によって指令された光強度になるようにレーザパワー／パルス制御器７２０が光ヘッド７１０内のレーザドライバ７１６を介して半導体レーザ７１２に流す電流を制御し，レーザ光７１４を発生させる。レーザ光７１４は，対物レンズ７１１によって集光され，光スポット７０１を多層光ディスク媒体７００のいずれかの記録層に形成する。この際，多層光ディスク媒体７００の光入射面から光スポット７０１を形成する記録層までの厚さに応じて，半導体レーザ７１２と対物レンズ７１１の間に配置された図示しない球面収差補正機構によって球面収差が補正される。光スポット７０１からの反射光７１５は対物レンズ７１１を介して，光検出器７１３で検出される。光検出器は複数に分割された光検出素子から構成されている。再生信号処理回路７３０は，光ヘッド７１０で検出された信号を用いて，多層光ディスク媒体７００上に記録された情報を再生する。これら装置全体は，システムコントローラ７５０によって制御される。
【実施例４】
【００９９】
次に，本発明の多層光ディスク媒体を用いた情報再生方法の具体的な例を説明する。図１０は，本実施例の情報再生手順の一形態を示したフローチャートである。本実施例では，実施例２の多層光ディスク媒体のように，記録層が層グループに分類され，各記録層に対する媒体制御情報が層グループ毎に与えられ，各記録層に対する最大再生パワーが層番号の多項式関数で与えられ，その多項式関数の各係数を示したパラメータが媒体制御情報に記載された媒体を用いることを前提とする。以下，最大再生パワーを与える多項式関数は実施例２の光ディスク媒体のように１次関数であるとして説明を進める。【０１００】
まずステップＳ１００１では，多層光ディスク媒体のいずれかの記録層において，図５に示した媒体制御情報領域５０５から，再生しようとする記録層（再生対象層）が属する層グループおよび再生速度の組み合わせに対応した媒体制御情報ユニットを，図９に示した対応関係を参照して選択し，読み出す。上記実施例の多層光ディスク媒体では，全ての記録層に，全記録層に対する媒体制御情報が記載されているため，いずれの記録層からも必要な情報を読み出すことができる。【０１０１】
続いてステップＳ１００２では，読み出した媒体制御情報ユニットから最大再生パワーを与える層番号の１次関数である下記の数８【０１０２】
【数８】
2012140824.tif 000012
【０１０３】
の各係数ｃ０およびｃ１を示したパラメータを抽出する。これらのパラメータは，図６に示した最大再生パワー（ＤＣ）情報６１９または最大再生パワー（ＨＦ）情報６２０のいずれかに記載されている。いずれの情報を用いるかは，再生時のレーザ駆動条件（ＤＣ光または高周波重畳光のいずれか）に応じて選択する。【０１０４】
続いてステップＳ１００３では，抽出した係数ｃ０およびｃ１を用いて，上記の層番号ｎの１次関数を特定する。【０１０５】
続いてステップＳ１００４では，特定した層番号ｎの１次関数に再生対象層の層番号ｎを代入することにより再生対象層に対する最大再生パワーＰｒｍａｘ（ｎ）を算出する。この時，再生対象層と同一の層グループに属する残りの記録層に対しても同様の方法で最大再生パワーを算出することもできる。【０１０６】
最後にステップＳ１００５では，算出した最大再生パワーを超えない大きさに再生パワーの制御目標値を設定し，再生対象層の情報を再生する。ここで，再生中に最大再生パワーを超えることがないように，記録再生装置における再生パワーの制御誤差を考慮して，その分だけ制御目標値を低く設定してもよい。【０１０７】
本実施例は最大再生パワーが層番号の１次関数で与えられる場合の具体例であるが，１次関数以外の多項式関数（ｍ次関数）の場合も，媒体制御情報に記載される係数の個数が（ｍ＋１）個になるだけで，同様の手順を適用することができる。具体的には，上記ステップＳ１００２では最大再生パワーを与える層番号のｍ次関数の各係数ｃ０，ｃ１，ｃ２，・・・，ｃｍ−１，ｃｍを抽出し，ステップＳ１００３では抽出した係数を用いて層番号のｍ次関数を特定し，ステップＳ１００４では，特定した層番号ｎのｍ次関数に再生対象層の層番号ｎを代入することにより再生対象層に対する最大再生パワーＰｒｍａｘ（ｎ）を算出する。これ以外の手順は同様である。このように１次関数より次数の大きい多項式関数を用いることで，多項式関数から算出される最大再生パワーの精度を向上させることができる。例えば，図３に示した層番号と入射光パワーの関係において，これを前述のように１次関数で近似した場合の最大の誤差は１．１％であったのに対して，２次関数で近似した場合は０．１２％となる。
【実施例５】
【０１０８】
次に，本発明の多層光ディスク媒体を用いた情報記録方法の具体的な例を説明する。図１１は，本実施例の情報記録手順の一形態を示したフローチャートである。本実施例では，実施例２の多層光ディスク媒体のように，記録層が層グループに分類され，各記録層に対する媒体制御情報が層グループ毎に与えられ，各記録層に対してＯＰＣを実施するためのパラメータが記載され，そのうち指定記録パワーが層番号の多項式関数で与えられ，その多項式関数の各係数を示したパラメータが媒体制御情報に記載された媒体を用いることを前提とする。以下，指定記録パワーを与える多項式関数は実施例２の光ディスク媒体のように１次関数であるとして説明を進める。１次関数以外の多項式関数の場合も，媒体制御情報に記載される係数の個数が異なるだけであるので，同様の手順を適用することができる。【０１０９】
まずステップＳ１００１では，多層光ディスク媒体のいずれかの記録層において，図５に示した媒体制御情報領域５０５から，記録しようとする記録層（記録対象層）が属する層グループ，記録速度および用いる記録パルス種別の組み合わせに対応した媒体制御情報ユニットを，図９に示した対応関係を参照して選択し，読み出す。上記実施例の多層光ディスク媒体では，全ての記録層に，全記録層に対する媒体制御情報が記載されているため，いずれの記録層からも必要な情報を読み出すことができる。【０１１０】
続いてステップＳ１１０２では，読み出した媒体制御情報ユニットから指定記録パワーを与える層番号の１次関数である下記の数９【０１１１】
【数９】
2012140824.tif 000013
【０１１２】
の各係数ｃ０およびｃ１を示したパラメータ，目標変調度ｍＩＮＤ，係数ρ，バイアスパワー対ピークパワー比εＢＷ，クーリングパワー対ピークパワー比εＣ，スペースパワー対ピークパワー比εＳ，および係数目標値κを示したパラメータをそれぞれ抽出する。【０１１３】
続いてステップＳ１１０３では，抽出した係数ｃ０およびｃ１を用いて，上記の層番号ｎの１次関数を特定する。【０１１４】
続いてステップＳ１１０４では，特定した層番号ｎの１次関数に記録対象層の層番号ｎを代入することにより記録対象層に対する指定記録パワーＰＩＮＤ（ｎ）を算出する。この時，記録対象層と同一の層グループに属する残りの記録層に対しても同様の方法で指定記録パワーを算出することもできる。また，ステップＳ１１０２で抽出したｍＩＮＤ，ρ，比εＢＷ，εＣ，εＳ，およびκは，記録対象層と同一の層グループに属する残りの記録層に対しても共通に用いることができる。【０１１５】
続いてステップＳ１１０５では，抽出したパラメータに基づいて，記録対象層のＯＰＣ領域５０６においてκ方式のＯＰＣを実施して記録パワーを決定する。具体的には，記録パワーＰＷと変調度ｍの関係と，ＰＩＮＤ，κ，ρを用いて最適記録パワーＰＷＯの算出を行う。ここで，目標変調度ｍＩＮＤはＰＷ＝ＰＩＮＤのときの変調度ｍとしてＰＩＮＤと関連づけられた参考値であり，本実施例におけるＯＰＣには用いない。最適記録パワーの算出方法を，図１４を用いて説明する。まず，指定記録パワーＰＩＮＤ付近の複数種類の記録パワーＰＷを用いて図５に示したＯＰＣ領域５０６に所定の信号を記録し，記録した信号を再生することで，再生信号の振幅を上部包括レベルで割った値である変調度ｍを記録パワーＰＷと対応付けて取得する。次いで，ＰＩＮＤを中心とする所定のパワー範囲に対して評価値ｍ×ＰＷと記録パワーＰＷの関係を直線近似し，評価値ｍ×ＰＷがゼロとなる場合の記録パワーＰＷの値を記録パワー閾値Ｐｔｈｒとして算出する。算出したＰｔｈｒに係数目標値κを乗算した目標記録パワーＰｔａｒｇｅｔ＝κ×Ｐｔｈｒと記録パワーＰＷの関係において，Ｐｔａｒｇｅｔ＝ＰＷを満たす記録パワーＰＷを最適目標記録パワーＰｔａｒｇｅｔｏとして決定し，最適目標記録パワーＰｔａｒｇｅｔｏに係数ρを乗算した値を最適記録パワーＰＷＯとして決定する。【０１１６】
最後にステップＳ１１０６では，決定した記録パワーを設定し，記録対象層に情報を記録する。【０１１７】
本実施例は指定記録パワーが層番号の１次関数で与えられる場合の具体例であるが，１次関数以外の多項式関数（ｍ次関数）の場合も，媒体制御情報に記載される係数の個数が（ｍ＋１）個になるだけで，同様の手順を適用することができる。具体的には，上記ステップＳ１１０２では指定記録パワーを与える層番号のｍ次関数の各係数ｃ０，ｃ１，ｃ２，・・・，ｃｍ−１，ｃｍを抽出し，ステップＳ１１０３では抽出した係数を用いて層番号のｍ次関数を特定し，ステップＳ１１０４では，特定した層番号ｎのｍ次関数に再生対象層の層番号ｎを代入することにより記録対象層に対する指定記録パワーＰｒＩＮＤ（ｎ）を算出する。これ以外の手順は同様である。このように１次関数より次数の大きい多項式関数を用いることで，多項式関数から算出される指定記録パワーの精度を向上させることができる。
【実施例６】
【０１１８】
次に，本発明の多層光ディスク媒体を用いた情報記録方法の別の例を説明する。図１２は，本実施例の情報記録手順の一形態を示したフローチャートである。本実施例では，実施例２の多層光ディスク媒体のように，指定記録パワーが層番号の１次関数で与えられ，その１次関数の各係数を示したパラメータが媒体制御情報に記載された媒体を用いることを前提とする。【０１１９】
まずステップＳ１２０１では，多層光ディスク媒体のいずれかの記録層において，図５に示した媒体制御情報領域５０５から，記録しようとする記録層（記録対象層）が属する層グループ，記録速度および用いる記録パルス種別の組み合わせに対応した媒体制御情報ユニットを，図９に示した対応関係を参照して選択し，読み出す。【０１２０】
続いてステップＳ１２０２では，読み出した媒体制御情報ユニットからＯＰＣを実施するためのパラメータを抽出する。ここで読み出すパラメータは，基本的には上記実施例５と同様にκ方式のＯＰＣを実施するためのパラメータであるが，その代わりにβ方式のＯＰＣを実施するためのアシンメトリβを示したパラメータを抽出することもできる。その場合，以降のステップではβ方式のＯＰＣが実施されることになる。【０１２１】
続いてステップＳ１２０３では，抽出したパラメータを用いて，記録対象層のＯＰＣ領域５０６においてＯＰＣを実施して記録パワーを決定する。ここで，ＯＰＣとしては上記実施例５と同様のκ方式を用いてもよいし，その代わりにβ方式を用いてもよい。その場合，ＡＣカップルされた再生信号の上部包括レベルをＡ１，下部包括レベルをＡ２としたとき，β＝（Ａ１＋Ａ２）／（Ａ１−Ａ２）なるβが，上記抽出したパラメータ値と等しくなるように記録パワーを決定する。【０１２２】
続いてステップＳ１２０４では，ＯＰＣを実施した記録層と同一の層グループに属する他の記録層でもＯＰＣを実施するかが判断される。ここで，他の記録層でもＯＰＣを実施する場合（Ｙｅｓ），ステップＳ１２０３に戻り，他の記録層においてＯＰＣを実施し，当該記録層に対する記録パワーを決定する。ステップＳ１２０４での判断において，これ以上ＯＰＣを実施しない場合（Ｎｏ），ステップＳ１２０５に移る。但し，ＯＰＣは，同一の層グループに属する少なくとも２層の記録層において実施しなければならない。【０１２３】
ステップＳ１２０５では，複数の記録層において実施されたＯＰＣの結果に基づき，層番号と決定した記録パワーとの関係に対応した回帰１次関数を求め，求めた回帰１次関数に，ＯＰＣを実施した記録層と同一の層グループに属する残りの記録層の層番号を代入することにより当該記録層に対する記録パワーを算出する。【０１２４】
最後にステップＳ１２０６では，それぞれの記録層において，当該記録層に対して決定した記録パワーを設定し，情報を記録する。
【実施例７】
【０１２５】
次に，本発明の多層光ディスク媒体を用いた情報記録方法の別の例を説明する。図１３は，本実施例の情報記録手順の一形態を示したフローチャートである。本実施例では，指定記録パワーを示したパラメータが媒体制御情報に記載された媒体を用いることを前提とする。ここでは，実施例２の多層光ディスク媒体のように，指定記録パワーが層番号の１次関数で与えられ，その１次関数の各係数を示したパラメータが媒体制御情報に記載された媒体を用いるものとして説明を進める。【０１２６】
まずステップＳ１３０１では，多層光ディスク媒体のいずれかの記録層において，図５に示した媒体制御情報領域５０５から，記録しようとする記録層（記録対象層）が属する層グループ，記録速度および用いる記録パルス種別の組み合わせに対応した媒体制御情報ユニットを，図９に示した対応関係を参照して選択し，読み出す。【０１２７】
続いてステップＳ１３０２では，読み出した媒体制御情報ユニットから指定記録パワーを与える層番号の１次関数である下記の数１０【０１２８】
【数１０】
2012140824.tif 000014
【０１２９】
の各係数ｃ０およびｃ１を示したパラメータ，目標変調度ｍＩＮＤ，係数ρ，バイアスパワー対ピークパワー比εＢＷ，クーリングパワー対ピークパワー比εＣ，スペースパワー対ピークパワー比εＳ，および係数目標値κを示したパラメータをそれぞれ抽出する。ここで，以降のＯＰＣを実施する際にβ方式を用いる場合には，アシンメトリβを示したパラメータも抽出しておく。但し，その場合も，指定記録パワーＰＩＮＤを示したパラメータは抽出しておく必要がある。【０１３０】
続いてステップＳ１３０３では，抽出した係数ｃ０およびｃ１を用いて，上記の層番号ｎの１次関数を特定する。【０１３１】
続いてステップＳ１３０４では，特定した層番号ｎの１次関数に第１の記録層の層番号ｎ１を代入することにより第１の記録層に対する指定記録パワーＰＩＮＤ（ｎ１）を算出する。また，同じ１次関数に，第１の記録層と同一の層グループに属する第２の記録層の層番号ｎ２を代入することにより第２の記録層に対する指定記録パワーＰＩＮＤ（ｎ２）を算出する。更に，第２の記録層に対する指定記録パワーと第１の記録層に対する指定記録パワーとの比α＝ＰＩＮＤ（ｎ２）／ＰＩＮＤ（ｎ１）を算出する。【０１３２】
続いてステップＳ１３０５では，抽出したパラメータを用いて，第１の記録層のＯＰＣ領域５０６においてＯＰＣを実施して，第１の記録層に対する記録パワーＰＷＯ１を決定する。ここで，ＯＰＣとしては上記実施例５と同様のκ方式を用いてもよいし，その代わりにβ方式を用いてもよい。【０１３３】
続いて，ステップＳ１３０６では，ステップＳ１３０５で決定した第１の記録層に対する記録パワーＰＷＯ１に，上記比αを乗算することにより，第２の記録層に対する記録パワーＰＷＯ２を算出する。【０１３４】
最後にステップＳ１３０７では，第１の記録層においては記録パワーＰＷＯ１，第２の記録層においては記録パワーＰＷＯ２を用いてそれぞれ情報を記録する。【０１３５】
本実施例は指定記録パワーが層番号の１次関数で与えられる場合の具体例であるが，１次関数以外の多項式関数（ｍ次関数）の場合も，媒体制御情報に記載される係数の個数が（ｍ＋１）個になるだけで，同様の手順を適用することができる。具体的には，上記ステップＳ１３０２では指定記録パワーを与える層番号のｍ次関数の各係数ｃ０，ｃ１，ｃ２，・・・，ｃｍ−１，ｃｍを抽出し，ステップＳ１３０３では抽出した係数を用いて層番号のｍ次関数を特定する。ステップＳ１３０４では，特定した層番号ｎのｍ次関数に第１の記録層の層番号ｎ１を代入することにより第１の記録層に対する指定記録パワーＰｒＩＮＤ（ｎ１）を算出し，同じｍ次関数に，第１の記録層と同一の層グループに属する第２の記録層の層番号ｎ２を代入することにより第２の記録層に対する指定記録パワーＰＩＮＤ（ｎ２）を算出する。これ以外の手順は同様である。このように１次関数より次数の大きい多項式関数を用いることで，多項式関数から算出される指定記録パワーの精度を向上させることができる。【０１３６】
本発明の実施の形態は，上記の実施例に限られるものではない。本発明の多層光情報記録媒体の適用例として上記実施例では多層光ディスク媒体を挙げたが，これに限られるものではなく，積層された複数の記録層を有し，光を照射することにより情報の記録・再生を行うものであれば他の形態のものに適用してもよい。例えば，案内溝を持たない複数の記録層と，案内溝を持つトラッキング専用のガイド層とを有するグルーブレス多層光ディスク媒体，非回転のカード型媒体，あるいはテープ状媒体などにも本発明を適用し，同様の効果を得ることができる。更に，媒体中に記録層を持たず，媒体表面からの種々の深さに面状に記録領域が形成される，いわゆる体積記録型媒体についても，面状の各記録領域を記録層とみなせば広義の多層光情報記録媒体であるため，同様に本発明を適用することができる。また，記録層への層番号の付け方については，上記実施例では媒体全体に渡る通し番号としたが，これに限られるものではなく，例えば層グループ毎の通し番号として，第０層グループの第０層，第１層，・・・，第１層グループの第０層，第１層，・・・のように付けても本発明の効果は同様に得られる。また，媒体制御情報の内容やパラメータ値の記載方法についても，上記の実施例以外の構成を用いてもよい。
【符号の説明】
【０１３７】
２０１：ヘッダ，２０２：本体，２０３：フッタ
４０１：多層光ディスク媒体，４０２：基板，
４０３：第０記録層，４０４：中間層，
４０５：第１記録層，４０６：中間層，
４０７：第２記録層，４０８：中間層，
４０９：第３記録層，４１０：中間層，
４１１：第４記録層，４１２：中間層，
４１３：第５記録層，４１４：中間層，
４１５：第６記録層，４１６：中間層，
４１７：第７記録層，４１８：カバー層，
５０１：多層光ディスク媒体，５０２：リードイン領域，５０３：データ領域，
５０４：リードアウト領域，
７００：多層光ディスク媒体，７０１：光スポット，
７１０：光ヘッド，７１１：対物レンズ，７１２：半導体レーザ，７１３：光検出器，
７１４：レーザ光，７１５：反射光，７１６：レーザドライバ，
７２０：レーザパワー／パルス制御器，
７３０：再生信号処理回路，
７４０：ＣＰＵ，
７５０：システムコントローラ，
７６０：スピンドルモータ，
【図１】
2012140824.tif 000015
【図２】
2012140824.tif 000016
【図３】
2012140824.tif 000017
【図４】
2012140824.tif 000018
【図５】
2012140824.tif 000019
【図６】
2012140824.tif 000020
【図７】
2012140824.tif 000021
【図８】
2012140824.tif 000022
【図９】
2012140824.tif 000023
【図１０】
2012140824.tif 000024
【図１１】
2012140824.tif 000025
【図１２】
2012140824.tif 000026
【図１３】
2012140824.tif 000027
【図１４】
2012140824.tif 000028
【手続補正書】
【提出日】平成25年10月24日(2013.10.24)
【手続補正１】
【補正対象書類名】特許請求の範囲
【補正対象項目名】全文
【補正方法】変更
【補正の内容】
【特許請求の範囲】
【請求項１】
３層以上の記録層と，
前記記録層は前記記録層の数より少ない数の層グループに分類され，前記分類された層グループ毎に層グループ内で共通の媒体制御情報が与えられ，前記層グループ毎に与えられた媒体制御情報が記録された管理領域とを有し、
前記媒体制御情報には、再生パワー設定情報、記録パワー設定情報、記録パルスのタイミング設定情報が含まれており、前記層グループ内では、同一の前記再生パワー設定情報、同一の前記記録パワー設定情報、同一の前記記録パルスのタイミング設定情報が用いられるようにされている
ことを特徴とする多層光情報記録媒体。
【請求項２】
請求項１記載の多層光情報記録媒体において，
前記媒体制御情報には、前記層グループに属する前記記録層の各々に対する最大再生パワーを特定するためのパラメータが含まれており、前記パラメータは前記層グループ毎に異なることを特徴とする多層光情報記録媒体。
【請求項３】
請求項２記載の多層光情報記録媒体において，
前記記録層の各々には，前記多層光情報記録媒体の光入射面から見て奥から順に，または手前から順に連続した整数の層番号が付けられ，
前記記録層の各々に対する前記最大再生パワーは前記層番号の多項式関数で与えられ，
前記記録層の各々に対する最大再生パワーを特定するためのパラメータは，前記層番号の多項式関数の各係数を示したパラメータであることを特徴とする多層光情報記録媒体。
【請求項４】
請求項３記載の多層光情報記録媒体において，
前記層番号の多項式関数は前記層番号の１次関数であることを特徴とする多層光情報記録媒体。
【請求項５】
請求項１記載の多層光情報記録媒体において，
前記媒体制御情報には、前記記録層の各々に対してＯＰＣを実施するためのパラメータが含まれており、前記パラメータは前記層グループ毎に異なることを特徴とする多層光情報記録媒体。
【請求項６】
請求項５記載の多層光情報記録媒体において，
前記ＯＰＣを実施するためのパラメータには，少なくともκ方式のＯＰＣを実施するための指定記録パワーが含まれ，
前記記録層の各々には，前記多層光情報記録媒体の光入射面から見て奥から順に，または手前から順に連続した整数の層番号が付けられ，
前記記録層の各々に対する前記指定記録パワーは前記層番号の多項式関数で与えられ，
前記記録層の各々に対する指定記録パワーを特定するためのパラメータは，前記層番号の多項式関数の各係数を示したパラメータであることを特徴とする多層光情報記録媒体。
【請求項７】
請求項６記載の多層光情報記録媒体において，
前記層番号の多項式関数は前記層番号の１次関数であることを特徴とする多層光情報記録媒体。
【請求項８】
請求項１記載の多層光情報記録媒体において，
前記媒体制御情報には、記録パルスのタイミングを示したパラメータが含まれており、前記パラメータは前記層グループ毎に異なることを特徴とする多層光情報記録媒体。
【請求項９】
請求項１記載の多層光情報記録媒体において，
前記媒体制御情報には、前記記録層の各々が属する層グループを特定するためのパラメータが含まれていることを特徴とする多層光情報記録媒体。
【請求項１０】
請求項４，請求項７、請求項８何れかに記載の多層光情報記録媒体において，
同一の層グループに属する全ての記録層は、実質的に同一の膜構成により形成されていることを特徴とする多層光情報記録媒体。
【請求項１１】
３層以上の記録層を有し，前記記録層は前記記録層の数より少ない数の層グループに分類され，前記分類された層グループ毎に層グループ内で共通の、前記記録層の各々に対する最大再生パワーを特定するためのパラメータを含む媒体制御情報を記録した多層光情報記録媒体から、再生対象層が属する前記層グループに対応した前記媒体制御情報を読み出す工程と，
前記読み出した媒体制御情報から前記再生対象層に対する最大再生パワーを特定するためのパラメータを抽出する工程と，
前記抽出したパラメータを用いて前記再生対象層に対する最大再生パワーを特定する工程と，
前記特定した最大再生パワーを超えない大きさの再生パワーで前記再生対象層の情報を再生する工程と，
を備えたことを特徴とする情報再生方法。
【請求項１２】
請求項１１記載の情報再生方法において，
前記記録層の各々には，前記多層光情報記録媒体の光入射面から見て奥から順に，または手前から順に連続した整数の層番号が付けられ，前記記録層の各々に対する前記最大再生パワーは前記層番号の多項式関数で与えられ，前記記録層の各々に対する最大再生パワーを特定するためのパラメータは，前記層番号の多項式関数の各係数を示したパラメータであって，
前記パラメータを抽出する工程は，前記読み出した媒体制御情報から前記再生対象層に対する前記層番号の多項式関数の各係数を示したパラメータを抽出する工程であって，
前記最大再生パワーを特定する工程は，前記抽出したパラメータを用いて前記層番号の多項式関数を特定し，前記層番号の多項式関数に前記再生対象層の層番号を代入することにより前記再生対象層に対する最大再生パワーを算出する工程であることを特徴とする情報再生方法。
【請求項１３】
３層以上の記録層を有し，前記記録層は前記記録層の数より少ない数の層グループに分類され，前記分類された層グループ毎に層グループ内で共通の、前記記録層の各々に対してＯＰＣを実施するためのパラメータを含む媒体制御情報を記録した多層光情報記録媒体から、記録対象層が属する前記層グループに対応した前記媒体制御情報を読み出す工程と，
前記媒体制御情報には、再生パワー設定情報、記録パワー設定情報、記録パルスのタイミング設定情報が含まれており、前記層グループ内では、同一の前記再生パワー設定情報、同一の前記記録パワー設定情報、同一の前記記録パルスのタイミング設定情報が用いられるようにされており、
前記読み出した媒体制御情報から前記記録対象層に対してＯＰＣを実施するためのパラメータを抽出する工程と，
前記抽出したパラメータを用いて前記記録対象層において前記ＯＰＣを行い前記記録対象層に対する記録パワーを決定する工程と，
前記決定した記録パワーを用いて前記記録対象層に情報を記録する工程と，
を備えたことを特徴とする情報記録方法。
【請求項１４】
請求項１３記載の情報記録方法において，
前記ＯＰＣを実施するためのパラメータには，少なくともκ方式のＯＰＣを実施するための指定記録パワーが含まれ，前記記録層の各々には，前記多層光情報記録媒体の光入射面から見て奥から順に，または手前から順に連続した整数の層番号が付けられ，前記記録層の各々に対する前記指定記録パワーは前記層番号の多項式関数で与えられ，前記記録層の各々に対する指定記録パワーを特定するためのパラメータは，前記層番号の多項式関数の各係数を示したパラメータであって，
前記パラメータを抽出する工程は，前記多項式関数の各係数を示したパラメータを抽出する工程であって，
前記記録パワーを決定する工程は，前記抽出したパラメータから前記多項式関数を特定し，前記特定した多項式関数に前記記録対象層の層番号を代入することにより前記記録対象層に対する指定記録パワーを算出し，前記算出した指定記録パワーを用いて前記記録対象層においてκ方式のＯＰＣを実施し，前記記録対象層に対する記録パワーを決定する工程であることを特徴とする情報記録方法。
【請求項１５】
請求項１４記載の情報記録方法において，
前記層番号の関数は，層番号の１次関数であって，
同一の層グループに属する記録層のうち少なくとも２層の記録層でそれぞれＯＰＣを実施し，それぞれの記録層に対する記録パワーを決定する工程と，
前記ＯＰＣを実施した記録層の層番号と決定された記録パワーとの関係に対応した回帰１次関数を算出する工程と，
前記算出した回帰１次関数に，前記ＯＰＣを実施した記録層と同一の層グループに属する他の記録層の層番号を代入することにより，前記他の記録層に対する記録パワーを決定する工程と，
を有することを特徴とする情報記録方法。
【請求項１６】
請求項１３記載の情報記録方法において，
前記ＯＰＣを実施するためのパラメータには，少なくともκ方式のＯＰＣを実施するための指定記録パワーを示したパラメータが含まれ，
前記記録層のうちいずれか１層を第１の記録層とし，前記第１の記録層と同一の層グループに属する他のいずれかの記録層を第２の記録層として，
前記指定記録パワーを示したパラメータを用いて前記第１の記録層と前記２の記録層に対する指定記録パワーをそれぞれ特定する工程と，
前記第１の記録層においてＯＰＣを実施して，前記第１の記録層に対する記録パワーを決定する工程と，
前記第２の記録層に対する指定記録パワーと，前記第１の記録層に対する指定記録パワーとの比を算出する工程と，
前記決定した第１の記録層に対する記録パワーに前記算出した比を乗算することにより前記第２の記録層に対する記録パワーを決定する工程と，
を有することを特徴とする情報記録方法。
【国際調査報告】
2012140824.tif 000029
2012140824.tif 000030
2012140824.tif 000031
2012140824.tif 000032